(57)【特許請求の範囲】
【請求項１】
画像を表示する表示部と、該画像の表示に係る指示を受け付ける指示受付画像を該表示部に表示する表示手段と、前記表示部の表示画面上の位置指定を受け付ける位置指定受付手段とを備える表示装置において、
前記位置指定受付手段による位置指定の受付は、前記表示部の表示画面の所定範囲に対して行われ、該所定範囲外ではできず、
前記位置指定受付手段を介して、前記所定範囲内における前記指示受付画像の表示位置の指定を受け付ける表示位置受付手段を備え、
該表示位置受付手段が受け付けた指定に基づき、前記表示手段は、前記所定範囲内に前記指示受付画像を表示するように構成されていることを特徴とする表示装置。
【請求項２】
前記表示手段は一又は複数の指示受付画像を表示するように構成されていることを特徴とする請求項１に記載の表示装置。
【請求項３】
前記所定範囲を変更する範囲変更手段を備えることを特徴とする請求項１又は２に記載の表示装置。
【請求項４】
前記所定範囲を表す旨の通知を行う通知手段を備えることを特徴とする請求項３に記載の表示装置。
【請求項５】
前記表示部の前方側を撮像する撮像手段と
該撮像手段による撮像映像に基づき、前記表示手段が前記指示受付画像を表示するように構成されていることを特徴とする請求項１から４の何れかに記載の表示装置。
【請求項６】
前記撮像手段による撮像画像に基づき、利用者の特定身体部位の位置を検出する身体検出手段を備え、
該身体検出手段の検出結果に基づき、前記表示手段が前記指示受付画像の表示位置を変更するように構成されている特徴とする請求項５に記載の表示装置。
【請求項７】
前記撮像手段による撮像画像に基づき、利用者の身体的特徴を検出する特徴検出手段を備え、
該特徴検出手段の検出結果に基づき、前記表示手段が前記指示受付画像の構成を変更するように構成されていることを特徴とする請求項５又は６に記載の表示装置。
【請求項８】
前記撮像手段による撮像映像に基づき、所定範囲内の利用者の有無を判定する判定手段を備え、
該判定手段の判定結果に基づき、前記表示手段が前記指示受付画像を表示するように構成されていることを特徴とする請求項５から７の何れかに記載の表示装置。
【請求項９】
前記身体検出手段は、所定の時間間隔で利用者の特定身体部位の位置を検出するように構成されていることを特徴とする請求項６に記載の表示装置。
【請求項１０】
前記範囲変更手段は、前記身体検出手段の検出結果に基づき、前記表示部の表示画面の前記所定範囲を変更するように構成されていることを特徴とする請求項６又は９に記載の表示装置。
【請求項１１】
前記表示部は複数のサブ表示部からなり、
一部のサブ表示部が前記位置指定受付手段を備えるように構成されていることを特徴とする請求項１から１０の何れかに記載の表示装置。
【発明の詳細な説明】
【技術分野】
【０００１】
本発明は、表示部に表示すべき画像の表示に係る指示を受け付ける指示受付画像を該表示部に表示する表示装置に関する。
【背景技術】
【０００２】
近年、タッチパネルを備える表示装置が普及されており、ディスプレイの大型化に伴い、表示装置も大型化されつつある。
【０００３】
しかし、その高さ及び幅が人の身長を上回る大型の表示装置においては、前記タッチパネルに利用者の手が届かない範囲が生じるという操作の不都合の問題があった。
【０００４】
この問題に対して、例えば、特許文献１には、マスタ表示装置と、スレーブ表示装置とを備え、マスタ表示装置及びスレーブ表示装置を接続し、操作入力をマスタ表示装置に固定することにより、プレゼンテーターの空間的な移動を低減し、スレーブ表示装置への画面表示の切り替え、表示したデータの編集等を容易且つ直感的に行えるマルチディスプレイ装置が開示されている。
【先行技術文献】
【特許文献】
【０００５】
【特許文献１】特開２００９−１９８７３４号公報
【発明の概要】
【発明が解決しようとする課題】
【０００６】
しかしながら、上述した特許文献１のマルチディスプレイ装置においては、マスタ表示装置及びスレーブ表示装置を同時に必要とする複雑な構成を必要とする。
【０００７】
本発明は、斯かる事情に鑑みてなされたものであり、その目的とするところは、表示部の表示画面の所定範囲のみで位置指定を受け付ける位置指定受付手段を介して、画像の表示に係る指示を受け付ける指示受付画像の前記所定範囲における表示位置の指定を受け付け、該表示位置に該指示受付画像を表示することにより、簡単な構成にて、大型化に伴う操作の不都合を解決できる上に、利用者の操作の利便さを図ることが出来る表示装置を提供することにある。
【課題を解決するための手段】
【０００８】
本発明に係る表示装置は、画像を表示する表示部と、該画像の表示に係る指示を受け付ける指示受付画像を該表示部に表示する表示手段と、前記表示部の表示画面上の位置指定を受け付ける位置指定受付手段とを備える表示装置において、前記位置指定受付手段による位置指定の受付は、前記表示部の表示画面の所定範囲に対して行われ、該所定範囲外ではできず、前記位置指定受付手段を介して、前記所定範囲内における前記指示受付画像の表示位置の指定を受け付ける表示位置受付手段を備え、該表示位置受付手段が受け付けた指定に基づき、前記表示手段は、前記所定範囲内に前記指示受付画像を表示するように構成されていることを特徴とする。
【０００９】
本発明にあっては、例えば、前記位置指定受付手段による位置指定の受付が、前記表示部の表示画面の所定範囲に対してのみ部分的に行われる場合、前記位置指定受付手段を介して、前記表示位置受付手段が、前記所定範囲内における前記指示受付画像の表示位置の指定を受け付ける。前記表示位置受付手段が受け付けた指定に係る、前記所定範囲内における表示位置に、前記表示手段が前記指示受付画像を表示する。
【００１０】
本発明に係る表示装置は、前記表示手段は一又は複数の指示受付画像を表示するように構成されていることを特徴とする。
【００１１】
本発明にあっては、前記表示位置受付手段が受け付けた指定に係る表示位置に、前記表示手段が前記指示受付画像を表示する。更に、前記表示位置受付手段が他の指定を受け付けた場合、前記表示位置受付手段が受け付けた他の指定に係る他の表示位置に、前記表示手段が別の指示受付画像を表示する。
【００１４】
本発明に係る表示装置は、前記所定範囲を変更する範囲変更手段を備えることを特徴とする。
【００１５】
本発明にあっては、前記範囲変更手段によって、前記所定範囲が変更され、前記表示手段は、変更後の所定範囲内に前記指示受付画像を表示する。
【００１６】
本発明に係る表示装置は、前記所定範囲を表す旨の通知を行う通知手段を備えることを特徴とする。
【００１７】
本発明にあっては、前記通知手段が前記所定範囲を表す旨の通知を行うので、利用者は、例えば、前記所定範囲の変更があった場合であっても、その位置を認識することが出来る。
【００１８】
本発明に係る表示装置は、前記表示部の前方側を撮像する撮像手段と該撮像手段による撮像映像に基づき、前記表示手段が前記指示受付画像を表示するように構成されていることを特徴とする。
【００１９】
本発明にあっては、前記表示手段は、前記撮像手段による撮像映像に基づき、前記表示部の所定位置に、所定方法にて、前記指示受付画像を表示する。
【００２０】
本発明に係る表示装置は、前記撮像手段による撮像画像に基づき、利用者の特定身体部位の位置を検出する身体検出手段を備え、該身体検出手段の検出結果に基づき、前記表示手段が前記指示受付画像の表示位置を変更するように構成されている特徴とする。
【００２１】
本発明にあっては、前記撮像手段による撮像画像に基づき、前記身体検出手段が利用者の特定身体部位（例えば、顔、肩、上半身等）の位置を検出する。前記身体検出手段の検出結果に基づき、前記表示手段が前記指示受付画像の表示位置を、当該利用者の特定身体部位の位置に対応する位置に変更する。
【００２２】
本発明に係る表示装置は、前記撮像手段による撮像画像に基づき、利用者の身体的特徴を検出する特徴検出手段を備え、該特徴検出手段の検出結果に基づき、前記表示手段が前記指示受付画像の構成を変更するように構成されていることを特徴とする。
【００２３】
本発明にあっては、前記撮像手段による撮像画像に基づき、前記特徴検出手段が利用者の身体的特徴（例えば、年齢、性別等）を検出する。前記特徴検出手段の検出結果に基づき、前記表示手段が前記指示受付画像の構成（例えば、フォントサイズ、背景色等）を変更する。
【００２４】
本発明に係る表示装置は、前記撮像手段による撮像映像に基づき、所定範囲内の利用者の有無を判定する判定手段を備え、該判定手段の判定結果に基づき、前記表示手段が前記指示受付画像を表示するように構成されていることを特徴とする。
【００２５】
本発明にあっては、前記撮像手段による撮像映像に基づき、前記判定手段が前記表示部の前方側の所定範囲内での利用者の有無を判定する。例えば、前記判定手段が前記所定範囲内に利用者が居ると判定した場合、前記表示手段が前記指示受付画像を表示し、前記判定手段が前記所定範囲内に利用者が居ないと判定した場合、前記表示手段が表示中の前記指示受付画像を削除する。
【００２６】
本発明に係る表示装置は、前記身体検出手段は、所定の時間間隔で利用者の特定身体部位の位置を検出するように構成されていることを特徴とする。
【００２７】
本発明にあっては、前記身体検出手段は、所定の時間間隔で利用者の特定身体部位の位置を繰り返して検出し、前記身体検出手段の検出の都度、斯かる結果に応じて、前記表示手段が前記指示受付画像の表示位置を変更するので、利用者の位置変更に対応できる。
【００２８】
本発明に係る表示装置は、前記範囲変更手段は、前記身体検出手段の検出結果に基づき、前記表示部の表示画面の前記所定範囲を変更するように構成されていることを特徴とする。
【００２９】
本発明にあっては、前記身体検出手段は、所定の時間間隔で利用者の特定身体部位の位置を繰り返して検出し、前記身体検出手段の検出の都度、斯かる結果に応じて、前記範囲変更手段が前記表示部の表示画面の前記所定範囲を変更する。
【００３０】
本発明に係る表示装置は、前記表示部は複数のサブ表示部からなり、一部のサブ表示部が前記位置指定受付手段を備えるように構成されていることを特徴とする。
【００３１】
本発明にあっては、前記表示部が複数のサブ表示部からなり、該複数のサブ表示部の中、一部のサブ表示部が前記位置指定受付手段を備え、前記位置指定受付手段による位置指定の受付が、所定のサブ表示部において部分的に行われる。
【発明の効果】
【００３２】
本発明によれば、より簡単な構成にて、大型化に伴って表示装置で生じる、操作の不都合を解決すると共に、利用者の操作の利便さを図ることが出来る。
【図面の簡単な説明】
【００３３】
【図１】本発明の実施の形態１の大型表示装置の票部構成を示す機能ブロック図である。
【図２】本発明の実施の形態１の大型表示装置における、制御ウィンドウの表示例を示す例示図である。
【図３】本発明の実施の形態１の大型表示装置における、制御ウィンドウの表示例を示す例示図である。
【図４】本発明の実施の形態１の大型表示装置における、制御ウィンドウの表示例を示す例示図である。
【図５】本発明の実施の形態２の大型表示装置の票部構成を示す機能ブロック図である。
【図６】本発明の実施の形態２の大型表示装置において、判定部による判定に係るＸ軸の所定範囲を説明する説明図である。
【図７】本発明の実施の形態２の大型表示装置において、記憶部に記憶されているウィンドウ構成テーブルの一例を示す例示図である。
【図８】本発明の実施の形態２の大型表示装置の外見を模式的に示す模式図である。
【図９】本発明の実施の形態２の大型表示装置における、身体検出部の検出結果に基づく制御ウィンドウの表示制御を説明する説明図である。
【図１０】本発明の実施の形態２の大型表示装置における、身体特徴検出部の検出結果に基づく制御ウィンドウの表示制御を説明する説明図である。
【図１１】本発明の実施の形態２の大型表示装置における、制御ウィンドウの表示の処理を説明するフローチャートである。
【図１２】本発明の実施の形態２の大型表示装置における、利用者の移動に対応した制御ウィンドウの表示を説明する説明図である。
【図１３】本発明の実施の形態３の大型表示装置の票部構成を示す機能ブロック図である。
【図１４】本発明の実施の形態３の大型表示装置の位置指定受付部の構成を説明する説明図である。
【図１５】本発明の実施の形態３の大型表示装置において、位置指定受付部の位置指定の受付可能な部分の変更処理の一例を示す例示図である。
【図１６】本発明の実施の形態３の大型表示装置における、前記通知を説明する例示図である。
【図１７】本発明の実施の形態３の大型表示装置における、制御ウィンドウの表示の処理を説明するフローチャートである。
【図１８】本発明の実施の形態３の大型表示装置における、制御ウィンドウの表示の処理を説明するフローチャートである。
【図１９】本発明の実施の形態３における、Ｓ２０１からＳ２０６までの処理結果を示す例示図である。
【図２０】本発明の実施の形態３における、Ｓ２０７からＳ２１２までの処理結果を示す例示図である。
【発明を実施するための形態】
【００３４】
（実施の形態１）
以下に、本発明の実施の形態１に係る表示装置を、大型表示装置に適用した場合を例として、図面に基づいて詳述する。
図１は本発明の実施の形態１の大型表示装置１００の票部構成を示す機能ブロック図である。大型表示装置１００はＣＰＵ１、ＲＯＭ４及びＲＡＭ６を備えている。
【００３５】
ＲＯＭ４には各種の制御プログラムが予め格納されており、ＲＡＭ６はデータを一時的に記憶し、記憶順、記憶位置等に関係なく読み出すことが可能である。また、ＲＡＭ６は、例えば、ＲＯＭ４から読み出されたプログラム、該プログラムを実行することにより発生する各種データ等を記憶する。
【００３６】
ＣＰＵ１は、ＲＯＭ４に予め格納されている制御プログラムをＲＡＭ６上にロードして実行することによって、バスＮを介して下記の各種ハードウェアの制御を行い、装置全体を本発明の大型表示装置１００として動作させる。
【００３７】
また、大型表示装置１００は、画像及び該画像の表示に係る指示を受け付ける制御ウィンドウ（指示受付画像）が表示される表示部２と、該表示部２への画像、前記制御ウィンドウ等の表示を制御する表示制御部３と、利用者から表示部２の表示画面上の位置指定を受け付ける位置指定受付部５と、利用者から前記制御ウィンドウの表示位置の指定を受け付ける表示位置受付部７と、表示部２に表示すべき画像の画像データが記憶されている記憶部９と、所定時刻からの時間の経過を測る計時部８とを備えている。
【００３８】
表示部２は、例えば大型ＬＣＤモニタであり、画像及び前記制御ウィンドウが表示される。該制御ウィンドウには、当該画像の表示を制御するための複数のソフトキーが設けられている。例えば、該制御ウィンドウには「拡大」、「縮小」、「回転」、「削除」等のソフトキーが設けられており、利用者は前記制御ウィンドウを操作することによって、当該画像の表示を制御することができる。
【００３９】
表示制御部３は、表示部２への画像の表示、前記制御ウィンドウの表示等を制御する。例えば、ＣＰＵ１の指示に応じて画像を表示部２に表示し、又は表示位置受付部７が受け付けた前記制御ウィンドウの表示位置の指定に基づき、１つ又は複数の制御ウィンドウを表示部２に表示させ、該制御ウィンドウを移動させる。
【００４０】
位置指定受付部５は、いわゆるタッチパネルであり、表示部２の表示画面を覆うように設けられている。位置指定受付部５は利用者のタッチ操作により表示部２の表示画面上における位置指定を受け付ける。利用者の指先のタッチ操作による圧力の変化を検知し、又は静電気による電気信号を検知して、利用者の指先の接触点の表示部２の表示画面上の座標を検出し、該座標を特定する信号を発生する。位置指定受付部５が受け付けた位置指定に係る座標を特定する信号はＣＰＵ１に送出される。
【００４１】
ＣＰＵ１は、位置指定受付部５から前記信号（座標）を取得して、表示部２に表示されているソフトキーの内、該座標に対応する位置のソフトキーが操作されたものと認識する。従って、位置指定受付部５を介して利用者からの指定を受け付けることが出来る。
【００４２】
表示位置受付部７は、位置指定受付部５を監視して、利用者から前記制御ウィンドウの表示位置の指定を受け付ける。利用者が所定の操作（例えば、２回タッチ、長押し等）をした場合、該操作に係る位置を、前記制御ウィンドウの表示位置の指定として受け付ける。
【００４３】
以下、本発明の実施の形態１の大型表示装置１００における制御ウィンドウの表示について説明する。
図２から図４は本発明の実施の形態１の大型表示装置１００における、制御ウィンドウＷの表示例を示す例示図である。表示部２の表示画面２１を覆うように位置指定受付部５が設けられており、表示画面２１には制御ウィンドウＷが表示されている。制御ウィンドウＷには、表示部２に表示した画像の表示を制御する複数のソフトキーが設けられている。
【００４４】
例えば、利用者が位置指定受付部５のＡ位置を所定時間内に２回タッチ操作した場合、すなわち、位置指定受付部５が所定時間内に、同一位置の位置指定を２回受け付けた場合、表示位置受付部７は当該位置を制御ウィンドウＷの表示位置として受け付ける。
【００４５】
このようにして、表示位置受付部７が表示位置の指定を受け付けた場合、表示制御部３は、表示位置受付部７が受け付けた指定に係る表示位置に制御ウィンドウＷを表示し、現在表示中の制御ウィンドウＷを削除する。これによって、図３に示すように、制御ウィンドウＷを移動表示させることが出来る。なお、これに限るものでなく、いわゆるドラッグ操作ができるように構成しても良い。
【００４６】
一方、他の利用者が位置指定受付部５のＢ位置（図２参照）を所定時間長押した場合、すなわち、位置指定受付部５が所定時間内に、同一位置の位置指定を２回以上繰り返し受け付けた場合、表示位置受付部７は当該位置を新しい制御ウィンドウＷの表示位置として受け付ける。
【００４７】
このようにして、表示位置受付部７が表示位置の指定を受け付けた場合、表示制御部３は、表示位置受付部７が受け付けた指定に係る表示位置に新しい制御ウィンドウＷを表示する。これによって、図４に示すように、複数の制御ウィンドウＷを表示することが出来る。
【００４８】
（実施の形態２）
以下に、本発明の実施の形態２の大型表示装置１００について、図面に基づき詳述する。
図５は本発明の実施の形態２の大型表示装置１００の票部構成を示す機能ブロック図である。実施の形態２の大型表示装置１００は、実施の形態１に比べ、身体特徴検出部１０と、撮像部１１と、身体検出部１２と、判定部１３とをさらに備えている。
【００４９】
撮影部１１は、表示部２の前方側の利用者の身体が撮像できる位置に設けられている。撮像部１１は、既存の技術を用いるものである。例えば、撮像部１１は、ＣＣＤ（Charge Coupled Device）のようなイメージセンサ等の撮像素子を有し、撮像画像を生成する。また、撮像部１１は、例えば、赤外線を用いて利用者のモーション、位置等を認識できる奥行きカメラ機能を有している。従って、撮像部１１は、利用者が表示部２から所定距離内に居る場合のみ、該利用者の画像を撮像することが出来る。
【００５０】
身体検出部１２は、例えば、撮像部１１による撮像画像に基づき、利用者の特定身体部位（例えば、顔）を検出する。本実施の形態においては、身体検出部１２は、既存の技術を用いて、人間の顔を検出する処理を行う。例えば、身体検出部１２は、撮像部１１による撮像画像の中から肌の色に近い領域を検出し、検出した領域内に、目、眉及び口等の人間の顔に含まれる特徴的な形状の図形が含まれるか否かを判定し、該特徴的な形状の図形が含まれている場合、顔であると認識して該顔の位置を検出する。なお、身体検出部１２は利用者の顔を検出することに限るものでない。例えば、身体検出部１２が、利用者の上半身、肩、首、目等を検出するように構成しても良い。
【００５１】
判定部１３は、撮像部１１による撮像画像に基づき、表示部２の前方側の所定範囲内に利用者が居るか否かを判定する。例えば、図６に示すように、表示部２の幅方向（横方向）を当該撮像画像上のＸ軸とした場合、前記撮像画像のＸ軸の所定範囲内に利用者が居るか否かを、撮像部１１による撮像画像に基づいて判定する。換言すれば、撮像部１１は、利用者が表示部２から前方側の所定距離内に居る場合のみ、当該利用者の画像を撮像することから、判定部１３は、表示部２から前方側の所定距離内であって、表示部２の幅方向の所定範囲内に利用者が居るか否かを判定することとなる。
【００５２】
身体特徴検出部１０は、撮像部１１による撮像画像に基づき、利用者の身体的特徴を検出する。該身体的特徴とは、例えば、利用者の年齢、性別等である。身体特徴検出部１０は撮像部１１による撮像画像に基づき、上述した手法により、利用者の顔を認識し、利用者の顔の輪郭又は目、並びにまゆ毛、鼻、口などの位置関係、しわ又はたるみなどから、利用者の年齢、性別等を推定する。 
【００５３】
また、実施の形態２の記憶部９にはウィンドウ構成テーブルが記憶されている。該ウィンドウ構成テーブルには、制御ウィンドウＷを構成する構成要素（例えば、文字のフォント、ボタンサイズ、背景色等）を特定する情報が含まれている。
【００５４】
図７は本発明の実施の形態２の大型表示装置１００において、記憶部９に記憶されているウィンドウ構成テーブルの一例を示す例示図である。ウィンドウ構成テーブルには、年齢及び性別毎の、制御ウィンドウＷの背景色、文字フォント及びソフトキーサイズが記載されている。
【００５５】
前記ウィンドウ構成テーブルには、例えば、利用者が５０歳以上であると推定された場合、５０歳未満であると推定された場合より、制御ウィンドウＷのソフトキー及びフォントサイズが大きく設定されており、５０歳以上であって視力の悪い利用者による操作に備えることが出来る。
【００５６】
実施の形態２の表示制御部３は、判定部１３、身体検出部１２及び身体特徴検出部１０による処理結果に基づき、制御ウィンドウＷの表示を行う。以下に、詳しく説明する。
【００５７】
図８は本発明の実施の形態２の大型表示装置１００の外見を模式的に示す模式図である。実施の形態２の大型表示装置１００においては、表示部２の縁部の上部中央に、撮像部１１を備えている。
【００５８】
図９は本発明の実施の形態２の大型表示装置１００における、身体検出部１２の検出結果に基づく制御ウィンドウＷの表示制御を説明する説明図である。
例えば、撮像部１１による撮像画像に基づき、身体検出部１２によって、当該利用者の顔の位置が検出された場合、表示制御部３は、身体検出部１２によって検出された利用者の顔の位置に対応する表示部２上の位置に制御ウィンドウＷを表示する。すなわち、当該利用者の身長如何、表示部２の高さ如何に関わらず、当該利用者の顔の位置に対応する表示部２上の位置に制御ウィンドウＷが表示される。従って、表示部２が大型である場合、利用者の手が届かず、操作に不具合が生じることを未然に防止すると共に、操作における利用者の利便さを図ることが出来る。
【００５９】
一方、図１０は本発明の実施の形態２の大型表示装置１００における、身体特徴検出部１０の検出結果に基づく制御ウィンドウＷの表示制御を説明する説明図である。
例えば、身体特徴検出部１０が、撮像部１１による撮像画像に基づき、利用者の身体的特徴を検出し、利用者の年齢が５０以上であり、性別は男性であると推定した場合を例に説明する。表示制御部３は、身体特徴検出部１０による利用者の身体的特徴の検出結果に基づき、記憶部９のウィンドウ構成テーブルを参考に制御ウィンドウＷを表示する。すなわち、身体特徴検出部１０によって、利用者が５０歳以上の男性と推定されたので、制御ウィンドウＷの背景色を白にし、フォントサイズを４０ポイントにし、各ソフトキーの大きさが６ｃｍ×４ｃｍになるように、制御ウィンドウＷを表示する。図１０に示す制御ウィンドウＷの各ソフトキーの大きさが、図９に示す制御ウィンドウＷの各ソフトキーの大きさより大きいことが見て取れる。
【００６０】
なお、判定部１３によって、表示部２から前方側に所定距離内であって、表示部２の幅方向の所定範囲内に利用者が居ないと判定された場合、表示制御部３は、計時部８の計時結果に基づき、例えば、所定時間が経過した場合に表示中の制御ウィンドウＷを削除する。
【００６１】
図１１は本発明の実施の形態２の大型表示装置１００における、制御ウィンドウＷの表示の処理を説明するフローチャートである。
【００６２】
常に、撮像部１１は表示部２から前方側を撮像しており、撮像部１１による撮像画像に基づき、判定部１３は、表示部２から前方側に所定距離内であって、表示部２の幅方向の所定範囲内に利用者がいるか居ないか判定する（Ｓ１０１）。判定部１３による該判定については上述したとおりであり、詳しい説明は省略する。
【００６３】
判定部１３によって、表示部２から前方側に所定距離内であって、表示部２の幅方向の所定範囲内に利用者が居ないと判定された場合（Ｓ１０１：ＮＯ）、ＣＰＵ１は待機する。
【００６４】
一方、判定部１３によって、表示部２から前方側に所定距離内であって、表示部２の幅方向の所定範囲内に利用者が居ると判定された場合（Ｓ１０１：ＹＥＳ）、ＣＰＵ１は、撮像部１１による撮像画像及び計時部８の計時結果に基づき、利用者の顔が表示部２（表示画面２１）に向かっており、所定時間停止していたか否かを判定する（Ｓ１０２）。
【００６５】
ＣＰＵ１は利用者の顔が所定時間停止していなかったと判定した場合（Ｓ１０２：ＮＯ）、処理をＳ１０１に戻す。一方、ＣＰＵ１は利用者の顔が所定時間停止していたと判定した場合（Ｓ１０２：ＹＥＳ）、身体検出部１２に利用者の特定身体部位の位置を検出するように指示する。
【００６６】
身体検出部１２は、ＣＰＵ１の指示に応じて、撮像部１１による撮像画像に基づき、利用者の特定身体部位の位置を検出する（Ｓ１０３）。詳しくは、上述したように、利用者の顔の位置を検出するものであり、身体検出部１２による顔の位置の検出については上述したとおりであり、詳しい説明を省略する。検出された利用者の顔の位置に対応する表示部２上の位置を表す座標がＲＡＭ６に記憶される。
【００６７】
次いで、身体特徴検出部１０は、撮像部１１による撮像画像に基づき、利用者の身体的特徴を検出する（Ｓ１０４）。詳しくは、身体特徴検出部１０は、利用者の年齢、性別等を推定する。身体特徴検出部１０による利用者の年齢、性別等の推定については、上述したとおりであり、詳しい説明を省略する。
【００６８】
また、表示制御部３は、身体検出部１２及び身体特徴検出部１０による処理結果に基づき、制御ウィンドウＷの表示を行う（Ｓ１０５）。身体検出部１２及び身体特徴検出部１０による処理結果に基づく、表示制御部３による制御ウィンドウＷの表示については上述したとおりであり、詳しい説明を省略する。
【００６９】
次いで、ＣＰＵ１は計時部８に計時開始を指示する。ＣＰＵ１の指示に応じて計時部８は計時を開始する。ＣＰＵ１は計時部８の計時結果に基づき、制御ウィンドウＷの表示開始から所定時間が経過しているか否かを判定する（Ｓ１０６）。
【００７０】
ＣＰＵ１は制御ウィンドウＷの表示開始から所定時間が経過していないと判定した場合（Ｓ１０６：ＮＯ）、所定時間が経過するまで待機する。
【００７１】
一方、ＣＰＵ１は、制御ウィンドウＷの表示から所定時間が経過していると判定した場合（Ｓ１０６：ＹＥＳ）、身体検出部１２に利用者の特定身体部位の位置を検出するように指示する。
【００７２】
身体検出部１２は、ＣＰＵ１の指示に応じて、その際、撮像部１１によって撮像された撮像画像に基づき、再び利用者の特定身体部位の位置を検出する（Ｓ１０７）。すなわち、上述したように、利用者の顔の位置を検出し、検出された利用者の顔の位置を表す座標がＲＡＭ６に記憶される。
【００７３】
ＣＰＵ１は前回（Ｓ１０３）に検出された利用者の顔の位置に係る座標と、今回（Ｓ１０７）に検出された利用者の顔の位置に係る座標とを比較することにより、斯かる２つの座標のＸ座標に変更があるか否かを判定する（Ｓ１０８）。
【００７４】
ＣＰＵ１はＸ座標に変更がないと判定した場合（Ｓ１０８：ＮＯ）、処理をＳ１０６に戻すと共に、計時部８に計時開始を指示する。
【００７５】
一方、ＣＰＵ１はＸ座標に変更があると判定した場合（Ｓ１０８：ＹＥＳ）、該Ｘ座標の変更が所定の閾値以上であるか否かを判定する（Ｓ１０９）。前記閾値は、例えば、実際の５０ｃｍの距離に相当する値であるものとする。
【００７６】
ＣＰＵ１は前記Ｘ座標の変更が所定の閾値以上でないと判定した場合（Ｓ１０９：ＮＯ）、処理をＳ１０６に戻すと共に、計時部８に計時開始を指示する。一方、ＣＰＵ１は前記Ｘ座標の変更が所定の閾値以上であると判定した場合（Ｓ１０９：ＹＥＳ）、今回（Ｓ１０７）に新しく検出された利用者の顔の位置に基づいて制御ウィンドウＷを再表示するように、表示制御部３に指示する。
【００７７】
表示制御部３は、ＣＰＵ１の指示に応じて、現在表示中の制御ウィンドウＷを削除して、新しく検出された利用者の顔の位置に基づいて制御ウィンドウＷを再表示する（Ｓ１１０）。
【００７８】
従って、本発明の実施の形態２の大型表示装置１００においては、利用者が移動した場合でも対応することが出来る。図１２は本発明の実施の形態２の大型表示装置１００における、利用者の移動に対応した制御ウィンドウＷの表示を説明する説明図である。説明の便宜上、以下においては、利用者が大型表示装置１００を用いてプレゼンテーションを行う場合であり、身体特徴検出部１０によって、利用者が５０歳以下の男性であると推定された場合を例として説明する。
【００７９】
例えば、利用者がＡ位置に居た時に制御ウィンドウＷが表示され、その後、利用者が、大型表示装置１００の幅方向に１ｍ程度離れたＢ位置に移動したとする。前記制御ウィンドウＷの表示から所定時間が経過した場合、身体検出部１２が、Ｂ位置に居る利用者の顔の位置を検出する。
【００８０】
利用者が所定の距離を移動したので、ＣＰＵ１によって利用者の顔の位置に係るＸ座標に変更があると判定され、かつ、利用者の顔の位置に係るＸ座標の変更が所定の閾値以上であるので、新しくＢ位置にて検出された利用者の顔の位置に基づいて、表示制御部３が制御ウィンドウＷを再表示する。
【００８１】
これによって、利用者の移動によって、利用者の手が届かなくなり、操作に不具合が生じることを未然に防止できると共に、操作における利用者の利便さを図ることが出来る。
【００８２】
実施の形態１と同様の部分については、同一の符号を付して詳細な説明を省略する。
【００８３】
（実施の形態３）
以下に、本発明の実施の形態３の大型表示装置１００について、図面に基づき詳述する。
【００８４】
図１３は本発明の実施の形態３の大型表示装置１００の票部構成を示す機能ブロック図である。実施の形態３の大型表示装置１００は、実施の形態２に比べ、範囲変更部１４と、通知部１５とをさらに備えている。
【００８５】
本発明の実施の形態３の大型表示装置１００では、位置指定受付部５による、表示部２の表示画面２１上の位置指定の受付が、表示部２の表示画面２１の所定範囲に対して行われるように構成されている。
【００８６】
詳しくは、本発明の実施の形態３の大型表示装置１００の位置指定受付部５は、部分的にオンオフすることが出来る。すなわち、本発明の実施の形態３の大型表示装置１００の位置指定受付部５は、必要に応じて、一部分のみがオン状態にされ、該一部分に対応する表示画面２１の所定範囲の画像のみに対する利用者のタッチ操作（位置指定）を受け付けることができるように構成されている。以下においては、図１４に示すように、位置指定受付部５が、４つのサブ位置指定受付部５１、５２、５３、５４からなる場合であって、必要に応じて何れか１つ又は複数のサブ位置指定受付部からのみ位置指定を受け付ける場合について説明する。
【００８７】
範囲変更部１４は、位置指定の受付が可能なオン状態にすべき、位置指定受付部５の範囲を変更する。すなわち、範囲変更部１４はサブ位置指定受付部５１、５２、５３、５４を電気的に制御することによって、何れか１つ又は複数のサブ位置指定受付部のみをオン状態にし、これに係る範囲からのみ位置指定の受付ができるようにする。これによって、利用者からの位置指定の受付の対象となる表示画面２１の所定範囲も変更される。
【００８８】
図１５は本発明の実施の形態３の大型表示装置１００において、位置指定受付部５の位置指定の受付可能な部分の変更処理の一例を示す例示図である。
【００８９】
例えば、本発明の実施の形態３の大型表示装置１００をプレゼンテーションに使用する場合において、大型表示装置１００の左側又は右側の何れか一方に原稿台Ｓが設置されることから、利用者（発表者）の位置が大型表示装置１００の左側又は右側の何れか一方に固定されると予測できる場合がある。斯かる場合、範囲変更部１４によって、サブ位置指定受付部５２、５４のみがオン状態になり、サブ位置指定受付部５１、５３はオフ状態にすることができる。従って、本発明の実施の形態３の大型表示装置１００は運転コストを削減することが出来る。
【００９０】
一方、以上のように、表示部２の表示画面２１上の位置指定の受付が、表示部２の表示画面２１の所定範囲に対して選択的に行われる場合、すなわち、サブ位置指定受付部５１、５２、５３、５４の中、何れか１つ又は複数のサブ位置指定受付部のみがオン状態である場合に、今現在、どのサブ位置指定受付部がオン状態であるかを肉眼にて判断することは非常に難しい。そこで、通知部１５は、今現在、オン状態であるサブ位置指定受付部を表す通知を行う。換言すれば、通知部１５は、今現在、位置指定の受付が可能なサブ位置指定受付部に対応する、表示部２の表示画面２１の範囲を表す通知を利用者に対して行う。
【００９１】
図１６は本発明の実施の形態３の大型表示装置１００における、前記通知を説明する例示図である。例えば、範囲変更部１４によってサブ位置指定受付部５３のみがオン状態にされているものとする。
【００９２】
この場合、通知部１５は、今現在、オン状態であるサブ位置指定受付部は、サブ位置指定受付部５３である旨を利用者に通知する。すなわち、サブ位置指定受付部５３に対応する、表示部２の表示画面２１の範囲（以下対応範囲という）に表示される画像に対する利用者のタッチ操作（位置指定）のみを、今現在、受け付けることができる旨を利用者に通知する。通知方法としては、例えば、通知部１５は、表示部２の表示画面２１の対応範囲に表示すべき部分画像の明度を他の部分より高くして表示することにより、前記通知を行う。また、これに限るものでなく、前記対応範囲に係る画像が点滅表示されるように構成しても良い。
【００９３】
図１７及び図１８は本発明の実施の形態３の大型表示装置１００における、制御ウィンドウＷの表示の処理を説明するフローチャートである。以下の説明においては、上述したように、位置指定受付部５が、４つのサブ位置指定受付部５１、５２、５３、５４からなり、必要に応じて何れか１つ又は複数のサブ位置指定受付部からのみ位置指定を受け付ける場合を例に挙げる。
【００９４】
撮像部１１による撮像画像に基づき、常に、判定部１３は、表示部２から前方側に所定距離内であって、表示部２の幅方向の所定範囲内に利用者がいるか居ないか判定する（Ｓ２０１）。判定部１３による該判定については上述したとおりであり詳しい説明は省略する。
【００９５】
判定部１３によって、表示部２から前方側に所定距離内であって、表示部２の幅方向の所定範囲内に利用者が居ないと判定された場合（Ｓ２０１：ＮＯ）、ＣＰＵ１は待機する。
【００９６】
一方、判定部１３によって、表示部２から前方側に所定距離内であって、表示部２の幅方向の所定範囲内に利用者が居ると判定された場合（Ｓ２０１：ＹＥＳ）、ＣＰＵ１は、撮像部１１による撮像画像及び計時部８の計時結果に基づき、利用者の顔が表示部２（表示画面２１）に向かっており、かつ所定時間停止していたか否かを判定する（Ｓ２０２）。
【００９７】
ＣＰＵ１は利用者の顔が所定時間停止していなかったと判定した場合（Ｓ２０２：ＮＯ）、処理をＳ２０１に戻す。一方、ＣＰＵ１が利用者の顔が所定時間停止していたと判定した場合（Ｓ２０２：ＹＥＳ）、身体検出部１２は、撮像部１１による撮像画像に基づき、利用者の特定身体部位の位置を検出する（Ｓ２０３）。詳しくは、上述したように、利用者の顔の位置を検出するものであり、身体検出部１２による顔の位置の検出については上述したとおりであるので、詳しい説明を省略する。この際、検出された利用者の顔の位置に対応する表示部２上の位置を表す座標がＲＡＭ６に記憶される。
【００９８】
次いで、身体特徴検出部１０は、撮像部１１による撮像画像に基づき、利用者の身体的特徴を検出する（Ｓ２０４）。詳しくは、身体特徴検出部１０は、利用者の年齢、性別等を推定する。身体特徴検出部１０による利用者の年齢、性別等の推定については、上述したとおりであり、詳しい説明を省略する。
【００９９】
ＣＰＵ１は、ＲＡＭ６に記憶されている利用者の顔の位置に係る座標に基づき、何れのサブ位置指定受付部をオン状態にするかを決定し、該決定結果に基づき、所定のサブ位置指定受付部をオン状態にするよう、範囲変更部１４に指示する。例えば、ＣＰＵ１は利用者の顔の位置に係る座標のＸ座標と、表示部２の中心を表すＸ座標とを比較する。ＣＰＵ１は、利用者の顔の位置に係る座標のＸ座標が表示部２の中心から右側（図面視）に偏っていると判定した場合、ＣＰＵ１は表示部２の右側のサブ位置指定受付部５２、５４をオン状態にすると決定し、範囲変更部１４にこの旨を指示する。
【０１００】
一方、ＣＰＵ１が利用者の顔の位置に係る座標のＸ座標が表示部２の中心から左側（図面視）に偏っていると判定した場合、ＣＰＵ１は表示部２の左側のサブ位置指定受付部５１、５３をオン状態にすると決定し、範囲変更部１４にこの旨を指示する。
【０１０１】
範囲変更部１４は、ＣＰＵ１の指示に応じて、位置指定受付部５の一部範囲のみをオンにする（Ｓ２０５）。例えば、上述の場合においては、範囲変更部１４はサブ位置指定受付部５２、５４のみをオン状態にし、又はサブ位置指定受付部５１、５３のみをオン状態にする。
【０１０２】
次いで、表示制御部３は、身体検出部１２及び身体特徴検出部１０による処理結果に基づき、制御ウィンドウＷの表示を行う（Ｓ２０６）。身体検出部１２及び身体特徴検出部１０による処理結果に基づく、表示制御部３による制御ウィンドウＷの表示については上述したとおりであるので、詳しい説明を省略する。
【０１０３】
図１９は実施の形態３における、Ｓ２０１からＳ２０６までの処理結果を示す例示図である。
例えば、ＣＰＵ１が利用者の顔の位置に係る座標のＸ座標が表示部２の中心から右側（図面視）に偏っていると判定した場合、ＣＰＵ１は表示部２の右側のサブ位置指定受付部５２、５４をオン状態にすると決定する。範囲変更部１４は、ＣＰＵ１の指示に応じて、サブ位置指定受付部５２、５４をオン状態にし、サブ位置指定受付部５１、５３はオフ状態にする。また、表示制御部３は、身体検出部１２及び身体特徴検出部１０による処理結果に基づき、サブ位置指定受付部５２、５４に対応する表示部２の表示画面２１の対応範囲に、制御ウィンドウＷの表示を行う。斯かる場合、サブ位置指定受付部５２、５４がオン状態であるので、利用者による制御ウィンドウＷのタッチ操作から位置指定を受け付けることが出来る。
【０１０４】
次いで、ＣＰＵ１は計時部８に計時開始を指示する。ＣＰＵ１の指示に応じて計時部８は計時を開始する。ＣＰＵ１は計時部８の計時結果に基づき、制御ウィンドウＷの表示開始から所定時間が経過しているか否かを判定する（Ｓ２０７）。
【０１０５】
ＣＰＵ１は制御ウィンドウＷの表示開始から所定時間が経過していないと判定した場合（Ｓ２０６：ＮＯ）、所定時間が経過するまで待機する。一方、ＣＰＵ１が、制御ウィンドウＷの表示から所定時間が経過していると判定した場合（Ｓ２０７：ＹＥＳ）、身体検出部１２は、その際の撮像部１１による撮像画像に基づき、再び利用者の特定身体部位の位置を検出する（Ｓ２０８）。すなわち、上述したように、利用者の顔の位置を検出し、検出された利用者の顔の位置に対応する表示部２上の位置を表す座標がＲＡＭ６に記憶される。
【０１０６】
ＣＰＵ１は前回（Ｓ２０３）に検出された利用者の顔の位置に係る座標と、今回（Ｓ２０８）に検出された利用者の顔の位置に係る座標とを比較することにより、斯かる２つの座標のＸ座標に変更があるか否かを判定する（Ｓ２０９）。
【０１０７】
ＣＰＵ１はＸ座標に変更がないと判定した場合（Ｓ２０９：ＮＯ）、処理をＳ２０７に戻すと共に、計時部８に計時開始を指示する。一方、ＣＰＵ１はＸ座標に変更があると判定した場合（Ｓ２０９：ＹＥＳ）、該Ｘ座標の変更が所定の閾値以上であるか否かを判定する（Ｓ２１０）。前記閾値は、例えば、実施の形態２と同様、実際の５０ｃｍの距離に相当する値であるものとする。
【０１０８】
ＣＰＵ１は前記Ｘ座標の変更が所定の閾値以上でないと判定した場合（Ｓ２１０：ＮＯ）、処理をＳ２０７に戻すと共に、計時部８に計時開始を指示する。一方、ＣＰＵ１は前記Ｘ座標の変更が所定の閾値以上であると判定した場合（Ｓ２１０：ＹＥＳ）、何れのサブ位置指定受付部をオン状態にするか再び決定する。
【０１０９】
ＣＰＵ１は、Ｓ２０８にて検出された利用者の顔の位置に係る座標に基づき、何れのサブ位置指定受付部をオン状態にするかを決定する。ＣＰＵ１による該決定の処理に対しては上述したとおりであり、詳細な説明を省略する。ＣＰＵ１は当該決定の結果に応じて、範囲変更部１４に所定のサブ位置指定受付部をオン状態にするよう指示する。範囲変更部１４は、ＣＰＵ１の指示に応じて、位置指定受付部５の一部範囲のみをオンにすることによって範囲を変更する（Ｓ２１１）。
【０１１０】
次いで、表示制御部３は、現在表示中の制御ウィンドウＷを削除して、今回（Ｓ２０８）に新しく検出された利用者の顔の位置に基づいて制御ウィンドウＷを再表示する（Ｓ２１２）。
【０１１１】
図２０は実施の形態３における、Ｓ２０７からＳ２１２までの処理結果を示す例示図である。例えば、図１９に示すように、利用者がＡ位置に居た時に制御ウィンドウＷが表示され、その後、利用者が、大型表示装置１００の幅方向に１ｍ程度離れたＢ位置に移動したとする。前記制御ウィンドウＷの表示から所定時間が経過した場合、身体検出部１２が、Ｂ位置に居る利用者の顔の位置を検出する。
【０１１２】
Ｂ位置の利用者の顔の位置に係る座標のＸ座標は表示部２の中心から左側（図面視）に偏っているので、ＣＰＵ１は表示部２の左側のサブ位置指定受付部５１、５３をオン状態にすると決定する。範囲変更部１４は、ＣＰＵ１の指示に応じて、サブ位置指定受付部５１、５３をオン状態にし、サブ位置指定受付部５２、５４はオフ状態にする。
【０１１３】
また、利用者が所定の距離を移動したので、ＣＰＵ１によって利用者の顔の位置に係るＸ座標に変更があると判定され、かつ、利用者の顔の位置に係るＸ座標の変更が所定の閾値以上であるので、新しくＢ位置にて検出された利用者の顔の位置に基づいて、表示制御部３が制御ウィンドウＷを再表示する。すなわち、表示制御部３は、サブ位置指定受付部５１、５３に対応する表示部２の表示画面２１の対応範囲に、制御ウィンドウＷの表示を行う。斯かる場合、サブ位置指定受付部５１、５３がオン状態であるので、利用者による制御ウィンドウＷのタッチ操作から位置指定を受け付けることが出来る。
【０１１４】
これによって、本発明の実施の形態３の大型表示装置１００は利用者の移動によって、利用者の手が届かなくなり、操作に不具合が生じることを未然に防止できると共に、操作における利用者の利便さを図ることが出来る。
【０１１５】
さらに、本発明の実施の形態３の大型表示装置１００においては、事実上、使用されていない、一部のサブ位置指定受付部をオフ状態にすることにより、コスト削減を図ることが出来る。
【０１１６】
実施の形態１と同様の部分については、同一の符号を付して詳細な説明を省略する。
【０１１７】
本発明に係る大型表示装置１００は以上の記載に限るものでない。例えば、表示部２が複数のサブ表示部からなるいわゆるマルチディスプレイであるように構成しても良い。この場合、範囲変更部１４は各サブ表示部の位置指定受付部のオンオフを制御するように構成すればよい。なお、斯かる場合、スケーリング部を備え、各サブ表示部への画像の割り当てを行う必要がある。
【符号の説明】
【０１１８】
１  ＣＰＵ
２  表示部
３  表示制御部（表示手段）
５  位置指定受付部
７  表示位置受付部
８  計時部
９  記憶部
１０  身体特徴検出部（特徴検出手段）
１１  撮像部
１２  身体検出部
１３  判定部
１４  範囲変更部
１５  通知部
１００  大型表示装置
【図１】
0005606281.tif 000002
【図２】
0005606281.tif 000003
【図３】
0005606281.tif 000004
【図４】
0005606281.tif 000005
【図５】
0005606281.tif 000006
【図６】
0005606281.tif 000007
【図７】
0005606281.tif 000008
【図８】
0005606281.tif 000009
【図９】
0005606281.tif 000010
【図１０】
0005606281.tif 000011
【図１１】
0005606281.tif 000012
【図１２】
0005606281.tif 000013
【図１３】
0005606281.tif 000014
【図１４】
0005606281.tif 000015
【図１５】
0005606281.tif 000016
【図１６】
0005606281.tif 000017
【図１７】
0005606281.tif 000018
【図１８】
0005606281.tif 000019
【図１９】
0005606281.tif 000020
【図２０】
0005606281.tif 000021